(57)【要約】【課題】エスカレーターの天井への作業を効率的に行うことができるエスカレーターの天井作業床装置を提供する。【解決手段】エスカレーターの天井作業床装置は、エスカレーターのステップの上面に乗せられる支持体と、前記支持体が乗せられるステップよりも上方のステップの上面に乗せられる一側と前記支持体の上面に乗せられる他側とを有する床体と、を備えた。当該構成によれば、エスカレーターの天井への作業を効率的に行うことができる。【選択図】図２
2018188296.tif 000002
【特許請求の範囲】
【請求項１】
エスカレーターのステップの上面に乗せられる支持体と、
前記支持体が乗せられるステップよりも上方のステップの上面に乗せられる一側と前記支持体の上面に乗せられる他側とを有する床体と、
を備えたエスカレーターの天井作業床装置。
【請求項２】
前記床体の他側は、前記支持体の上部に対して着脱自在に設けられる請求項１に記載のエスカレーターの天井作業床装置。
【請求項３】
前記支持体の上面は、前記支持体がステップの上面に乗せられた際に前記床体の一側が乗せられるステップの上面と同じ高さとなるように設定される請求項１または請求項２に記載のエスカレーターの天井作業床装置。
【請求項４】
前記支持体の下部は、ステップの上面の凹凸と噛み合うように形成される請求項１から請求項３のいずれか１項に記載のエスカレーターの天井作業床装置。
【請求項５】
前記床体の両側と前側とに対して着脱自在に設けられた柵、
を備えた請求項１から請求項４のいずれか１項に記載のエスカレーターの天井作業床装置。
【請求項６】
前記床体の一側は、直上のステップのライザの凹凸と噛み合うように形成される請求項１から請求項５のいずれか１項に記載のエスカレーターの天井作業床装置。
【請求項７】
前記支持体の前面に設けられたタラップ、
を備えた請求項１から請求項６のいずれか１項に記載のエスカレーターの天井作業床装置。
【請求項８】
前記床体は、上下方向に貫通する開口部を備えた請求項１から請求項７のいずれか１項に記載のエスカレーターの天井作業床装置。
【請求項９】
前記支持体の後部側かつ下部側に設けられた支持体用車輪、
を備えた請求項１から請求項８のいずれか１項に記載のエスカレーターの天井作業床装置。
【請求項１０】
前記床体の一側の後部側かつ下部側に設けられ床体用車輪、
を備えた請求項１から請求項９のいずれか１項に記載のエスカレーターの天井作業床装置。
【請求項１１】
エスカレーターのステップの上面に請求項１から請求項１０のいずれか１項に記載の天井作業床装置の支持体を乗せる支持体設置工程と、
前記支持体設置工程の後、前記支持体が乗せられたステップよりも上方のステップの上面に前記天井作業床装置の床体の一側を乗せ、前記床体の他側を前記支持体の上面に乗せる床体設置工程と、
前記床体設置工程の後、前記床体の他側を前記支持体の上部に固定する床体固定工程と、
前記床体固定工程の後、前記床体の上から前記エスカレーターの天井の作業を行う天井作業工程と、
を備えたエスカレーターの天井作業方法。
【発明の詳細な説明】
【技術分野】
【０００１】
この発明は、エスカレーターの天井作業床装置および天井作業方法に関する。
【背景技術】
【０００２】
特許文献１は、エスカレーターの作業用シールド装置を開示する。当該作業用シールド装置によれば、屋外に設置されたエスカレーターにおける作業環境を向上させることができる。
【先行技術文献】
【特許文献】
【０００３】
【特許文献１】特開２０１２−２０６８０２号公報
【発明の概要】
【発明が解決しようとする課題】
【０００４】
しかしながら、特許文献１に記載の作業用シールドは、エスカレーターの天井への作業について考慮されていない。このため、特許文献１に記載の作業用シールド装置を用いても、エスカレーターの天井への作業を効率的に行うことはできない。
【０００５】
この発明は、上述の課題を解決するためになされた。この発明の目的は、エスカレーターの天井への作業を効率的に行うことができるエスカレーターの天井作業床装置を提供することである。
【課題を解決するための手段】
【０００６】
この発明に係るエスカレーターの天井作業床装置は、エスカレーターのステップの上面に乗せられる支持体と、前記支持体が乗せられるステップよりも上方のステップの上面に乗せられる一側と前記支持体の上面に乗せられる他側とを有する床体と、を備えた。
【０００７】
この発明に係るエスカレーターの天井作業方法は、エスカレーターのステップの上面に前記天井作業床装置の支持体を乗せる支持体設置工程と、前記支持体設置工程の後、前記支持体が乗せられたステップよりも上方のステップの上面に前記天井作業床装置の床体の一側を乗せ、前記床体の他側を前記支持体の上面に乗せる床体設置工程と、前記床体設置工程の後、前記床体の他側を前記支持体の上部に固定する床体固定工程と、前記床体固定工程の後、前記床体の上から前記エスカレーターの天井の作業を行う天井作業工程と、を備えた。
【発明の効果】
【０００８】
これらの発明によれば、作業員は、天井作業床装置の床体の上からエスカレーターの天井への作業を行う。このため、エスカレーターの天井への作業を効率的に行うことができる。
【図面の簡単な説明】
【０００９】
【図１】この発明の実施の形態１におけるエスカレーターの天井作業床装置が適用されるエスカレーターの構成図である。
【図２】この発明の実施の形態１におけるエスカレーターの天井作業床装置の側面図である。
【図３】この発明の実施の形態１におけるエスカレーターの天井作業床装置の正面図である。
【図４】この発明の実施の形態１におけるエスカレーターの天井作業床装置の平面図である。
【図５】この発明の実施の形態１におけるエスカレーターの天井の作業床装置を用いたエスカレーターの天井作業方法の手順を説明するためのフローチャートである。
【図６】この発明の実施の形態２におけるエスカレーターの天井作業床装置の側面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１はこの発明の実施の形態１におけるエスカレーターの天井作業床装置が適用されるエスカレーターの構成図である。
【００１２】
図１において、エスカレーター１は、隣接階の一方から他方に跨るように設けられる。エスカレーター１の下部には、下部乗降口２が設けられる。下部乗降口２は、隣接階の下方階に設けられる。エスカレーター１の上部には、上部乗降口３が設けられる。上部乗降口３は、隣接階の上方階に設けられる。
【００１３】
下部乗降口２の直下には、下部機械室４が設けられる。上部乗降口３の直下には、上部機械室５が設けられる。下部機械室４と上部機械室５とには、図示しない各種機器が設けられる。
【００１４】
下部乗降口２と上部乗降口３との間には、複数のステップ６が設けられる。複数のステップ６は、無端状に設けられる。複数のステップ６の各々は、金属で形成される。
【００１５】
ステップ６の両外側には、一対のスカートガード７が設けられる。一対のスカートガード７は、エスカレーター１の長手方向に沿うように設けられる。
【００１６】
一対のスカートガード７の各々には、一対の欄干パネル８の各々が設けられる。一対の欄干パネル８の各々は、金属で形成される。一対の欄干パネル８の各々は、エスカレーター１の長手方向に並んで設けられる。
【００１７】
一対の欄干パネル８の各々には、一対の手摺９の各々が設けられる。一対の手摺９の各々は、一対の欄干パネル８の各々の縁部に沿って設けられる。手摺９の各々は、無端状に設けられる。
【００１８】
エスカレーター１の上昇運転時において、露出したステップ６は、下部乗降口２から水平方向に移動する。その後、ステップ６は、斜め上方に移動する。その後、ステップ６は、上部乗降口３に向かって水平方向に移動する。この際、手摺９は、ステップ６の循環移動に合わせて循環移動する。
【００１９】
エスカレーター１の下降運転時において、露出したステップ６は、上部乗降口３から水平方向に移動する。その後、ステップ６は、斜め下方に移動する。その後、ステップ６は、下部乗降口２に向かって水平方向に移動する。この際、手摺９は、ステップ６の循環移動に合わせて循環移動する。
【００２０】
次に、図２から図４を用いて、エスカレーター１の作業の例を説明する。
図２はこの発明の実施の形態１におけるエスカレーターの天井作業床装置の側面図である。図３はこの発明の実施の形態１におけるエスカレーターの天井作業床装置の平面図である。図４はこの発明の実施の形態１におけるエスカレーターの天井作業床装置の正面図である。
【００２１】
図２に示されるように、エスカレーター１の天井１０は、複数のステップ６の上方に配置される。照明１１は、天井１０の傾斜部に設けられる。照明１１は、複数のステップ６に光を照らすように設けられる。
【００２２】
例えば、作業員は、天井１０への作業を行う際に天井作業床装置１２を利用する。例えば、作業員は、照明１１を取り付けたり交換したりする際に天井作業床装置１２を利用する。
【００２３】
天井作業床装置１２の前部は、図２の右側である。天井作業床装置１２の後部は、図２の左側である。例えば、天井作業床装置１２は、支持体１３と床体１４と柵１５とタラップ１６とを備える。
【００２４】
図２に示されるように、支持体１３は、エスカレーター１のステップ６の上面に乗せられる。例えば、支持体１３は、枠状に形成される。例えば、支持体１３の外形は、直方体状に形成される。例えば、支持体１３の幅は、ステップ６の幅に合わせて設定される。例えば、支持体１３は、アルミニウムで形成される。例えば、支持体１３の下部は、支持体１３が乗せられるステップ６の上面の凹凸と噛み合うように形成される。
【００２５】
図２に示されるように、床体１４の一側は、支持体１３が乗せられるステップ６よりも上方のステップ６の上面に乗せられる。例えば、床体１４の一側は、支持体１３が乗せられるステップ６よりも４段だけ上段のステップ６の上面に乗せられる。床体１４の他側は、支持体１３の上面に乗せられる。床体１４の他側は、支持体１３の上部に対してボルト等により着脱自在に設けられる。例えば、床体１４は、枠状に形成される。例えば、床体１４の上面は、板状に形成される。例えば、床体１４の外形は、直方体状に形成される。例えば、床体１４の幅は、ステップ６の幅に合わせて設定される。例えば、床体１４は、アルミニウムで形成される。
【００２６】
図３に示されるように、床体１４は、開口部１４ａを有する。開口部１４ａは、床体１４を上下方向に貫通する。
【００２７】
図３に示されるように、柵１５は、床体１４の両側と前側とに対して着脱自在に設けられる。例えば、柵１５は、第１支柱１５ａと第２支柱１５ｂと第３支柱１５ｃと第４支柱１５ｄと第１ロープ１５ｅと第２ロープ１５ｆと第３ロープ１５ｇとを備える。
【００２８】
第１支柱１５ａは、床体１４の後部の一側の角部に設けられる。第２支柱１５ｂは、床体１４の前部の一側の角部に設けられる。第３支柱１５ｃは、床体１４の後部の他側の角部に設けられる。第４支柱１５ｄは、床体１４の前部の他側の角部に設けられる。
【００２９】
第１ロープ１５ｅの一側は、第１支柱１５ａの上端部に連結される。第１ロープ１５ｅの他側は、第２支柱１５ｂの上端部に連結される。第２ロープ１５ｆの一側は、第３支柱１５ｃの上端部に連結される。第２ロープ１５ｆの他側は、第４支柱１５ｄの上端部に連結される。第３ロープ１５ｇの一側は、第２支柱１５ｂの上端部に連結される。第３ロープ１５ｇの他側は、第４支柱１５ｄの上端部に連結される。
【００３０】
図４に示されるように、タラップ１６は、支持体１３の前面に設けられる。例えば、タラップ１６は、第１踏体１６ａと第２踏体１６ｂとを備える。
【００３１】
第１踏体１６ａは、支持体１３の前面の下部の一側と他側とにわたるように設けられる。第２踏体１６ｂは、支持体１３の前面の上部の一側と他側とにわたるように設けられる。
【００３２】
次に、図５を用いて、エスカレーター１の天井１０への作業方法を説明する。
図５はこの発明の実施の形態１におけるエスカレーターの天井作業床装置を用いたエスカレーターの天井への作業方法の手順を説明するためのフローチャートである。
【００３３】
図５に示されるように、ステップＳ１では、作業員は、支持体設置工程を実施する。具体的には、作業員は、ステップ６の上面に支持体１３を乗せる。その後、作業員は、ステップＳ２の工程を行う。ステップＳ２では、作業員は、床体設置工程を実施する。具体的には、作業員は、支持体１３が乗せられたステップ６よりも上方のステップ６の上面に床体１４の一側を乗せる。作業員は、床体１４の他側を支持体１３の上面に乗せる。
【００３４】
その後、作業員は、ステップＳ３の工程を実施する。ステップＳ３では、作業員は、床体固定工程を実施する。具体的には、作業員は、ボルト等により床体１４の他側を支持体１３の上部に固定する。その後、作業員は、ステップＳ４の工程を実施する。ステップＳ４では、天井作業工程を実施する。具体的には、作業員は、上方階からステップ６を英経由して床体１４の上面に移動する。その後、作業員は、床体１４の上からエスカレーター１の天井１０への作業を行う。その後、作業員は、天井１０への作業を終了する。
【００３５】
以上で説明した実施の形態１によれば、作業員は、天井作業床装置１２の床体１４の上からエスカレーター１の天井１０への作業を行う。このため、エスカレーター１の天井１０への作業を効率的に行うことができる。
【００３６】
また、床体１４の他側は、支持体１３の上部に対して着脱自在に設けられる。このため、支持体１３と床体１４とを分割して運ぶことができる。その結果、エスカレーター１の天井１０への作業をより効率的に行うことができる。
【００３７】
なお、エスカレーター１のステップ６の高さに応じて支持体１３の上面の高さを設定すればよい。具体的には、支持体１３がステップ６の上面に乗せられた際に床体１４の一側が乗せられるステップ６の上面と同じ高さとなるように支持体１３の上面の高さを設定すればよい。この場合、床体１４の上面を水平にすることができる。このため、エスカレーター１の天井１０への作業を安定して行うことができる。
【００３８】
また、支持体１３の下部は、ステップ６の上面の凹凸と噛み合うように形成される。このため、支持体１３をステップ６の上面に安定して乗せることができる。
【００３９】
なお、床体１４の一側が乗せられるステップ６の直上のステップ６のライザの凹凸と噛み合うように床体１４の一側を形成してもよい。この場合、床体１４の一側を安定して支持することができる。
【００４０】
また、タラップ１６は、支持体１３の前面に設けられる。このため、作業員は、支持体１３の前面の側からタラップ１６を使って床体１４の上面に上がることができる。
【００４１】
また、床体１４は、開口部１４ｄを備える。このため、作業員は、床体１４の下方から開口部１４ａを通って床体１４の上面に上がることができる。
【００４２】
実施の形態２．
図６はこの発明の実施の形態２におけるエスカレーター１の天井作業床装置の側面図である。なお、実施の形態１と同一または相当部分には、同一符号が付される。当該部分の説明は省略される。
【００４３】
実施の形態２の支持体１３は、実施の形態１の支持体１３に対して一対の支持体用車輪１７が付加された支持体である。一対の支持体用車輪１７は、支持体１３の後部側かつ下部側に設けられる。一対の支持体用車輪１７は、回転自在に設けられる。一対の支持体用車輪１７は、支持体１３の下部がステップ６の上面に乗せされた際に当該ステップ６の直上のステップのライザと支持体１３の下部との間に形成された空間に収まるように設けられる。
【００４４】
実施の形態２の床体１４は、実施の形態１の床体１４に対して一対の床体用車輪１８が付加された床体である。一対の床体用車輪１８は、床体１４の一側の後部側かつ下部側に設けられる。一対の床体用車輪１８は、回転自在に設けられる。一対の床体用車輪１８は、床体１４の一側がステップ６の上面に乗せされた際に当該ステップ６の直上のステップ６のライザと床体１４の一側との間に形成された空間に収まるように設けられる。
【００４５】
以上で説明した実施の形態２によれば、一対の支持体用車輪１７が設けられる。このため、一対の支持体用車輪１７を利用して支持体１３を容易に移動させることができる。
【００４６】
また、一対の床体用車輪１８が設けられる。このため、一対の床体用車輪１８を利用して床体１４を容易に移動させることができる。
【００４７】
なお、実施の形態１および実施の形態２において、支持体１３の下面に滑り止め加工を施してもよい。この場合、支持体１３をより安定して設置することができる。
【００４８】
また、実施の形態１および実施の形態２において、床体１４の一側の下面に滑り止め加工を施してもよい。この場合、床体１４をより安定して設置することができる。
【００４９】
また、実施の形態１および実施の形態２において、床体１４の一側が載せられるステップ６の直上のステップ６の上面に床体１４の一側の上面からの延長された面が乗せられるようにしてもよい。この場合、床体１４をより安定して設置することができる。
【００５０】
また、実施の形態１および実施の形態２において、支持体１３の前面および床体１４の上面の少なくとも一方の移動する際の注意を促すラベルを貼ってもよい。この場合、作業員に対し、作業時の注意喚起を行うことができる。
【００５１】
また、実施の形態１および実施の形態２において、ジャッキを用いて支持体１３の高さを調整してもよい。この場合、ステップ６の高さが異なる複数のエレベーターの天井への作業に対し、１つの天井作業床装置１２で対応することができる。
【符号の説明】
【００５２】
１  エスカレーター、  ２  下部乗降口、  ３  上部乗降口、  ４  下部機械室、  ５  上部機械室、  ６  ステップ、  ７  スカートガード、  ８  欄干パネル、  ９  手摺、  １０  天井、  １１  照明、  １２  天井作業床装置、  １３  支持体、  １４  床体、  １４ａ  開口部、  １５  柵、  １５ａ  第１支柱、  １５ｂ  第２支柱、  １５ｃ  第３支柱、  １５ｄ  第４支柱、  １５ｅ  第１ロープ、  １５ｆ  第２ロープ、  １５ｇ  第３ロープ、  １６  タラップ、  １６ａ  第１踏体、  １６ｂ  第２踏体、  １７  支持体用車輪、  １８  床体用車輪
【図１】
2018188296.tif 000003
【図２】
2018188296.tif 000004
【図３】
2018188296.tif 000005
【図４】
2018188296.tif 000006
【図５】
2018188296.tif 000007
【図６】
2018188296.tif 000008
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
エスカレーターのステップの上面に乗せられる支持体と、
前記支持体が乗せられるステップよりも上方のステップの上面に乗せられる一側と前記支持体の上面に乗せられる他側と作業員が作業を行う際に乗る上面とを有する床体と、
を備えたエスカレーターの天井作業床装置。
【請求項２】
前記床体の他側は、前記支持体の上部に対して着脱自在に設けられる請求項１に記載のエスカレーターの天井作業床装置。
【請求項３】
前記支持体の上面は、前記支持体がステップの上面に乗せられた際に前記床体の一側が乗せられるステップの上面と同じ高さとなるように設定される請求項１または請求項２に記載のエスカレーターの天井作業床装置。
【請求項４】
前記支持体の下部は、ステップの上面の凹凸と噛み合うように形成される請求項１から請求項３のいずれか１項に記載のエスカレーターの天井作業床装置。
【請求項５】
前記床体の両側と前側とに対して着脱自在に設けられた柵、
を備えた請求項１から請求項４のいずれか１項に記載のエスカレーターの天井作業床装置。
【請求項６】
前記床体の一側は、直上のステップのライザの凹凸と噛み合うように形成される請求項１から請求項５のいずれか１項に記載のエスカレーターの天井作業床装置。
【請求項７】
前記支持体の前面に設けられたタラップ、
を備えた請求項１から請求項６のいずれか１項に記載のエスカレーターの天井作業床装置。
【請求項８】
前記床体は、上下方向に貫通する開口部を備えた請求項１から請求項７のいずれか１項に記載のエスカレーターの天井作業床装置。
【請求項９】
前記支持体の後部側かつ下部側に設けられた支持体用車輪、
を備えた請求項１から請求項８のいずれか１項に記載のエスカレーターの天井作業床装置。
【請求項１０】
前記床体の一側の後部側かつ下部側に設けられ床体用車輪、
を備えた請求項１から請求項９のいずれか１項に記載のエスカレーターの天井作業床装置。
【請求項１１】
エスカレーターのステップの上面に請求項１から請求項１０のいずれか１項に記載の天井作業床装置の支持体を乗せる支持体設置工程と、
前記支持体設置工程の後、前記支持体が乗せられたステップよりも上方のステップの上面に前記天井作業床装置の床体の一側を乗せ、前記床体の他側を前記支持体の上面に乗せる床体設置工程と、
前記床体設置工程の後、前記床体の他側を前記支持体の上部に固定する床体固定工程と、
前記床体固定工程の後、作業員が前記床体の上面から前記エスカレーターの天井の作業を行う天井作業工程と、
を備えたエスカレーターの天井作業方法。
【手続補正２】
【補正対象書類名】明細書
【補正対象項目名】０００６
【補正方法】変更
【補正の内容】
【０００６】
この発明に係るエスカレーターの天井作業床装置は、エスカレーターのステップの上面に乗せられる支持体と、前記支持体が乗せられるステップよりも上方のステップの上面に乗せられる一側と前記支持体の上面に乗せられる他側と作業員が作業を行う際に乗る上面とを有する床体と、を備えた。
【手続補正３】
【補正対象書類名】明細書
【補正対象項目名】０００７
【補正方法】変更
【補正の内容】
【０００７】
この発明に係るエスカレーターの天井作業方法は、エスカレーターのステップの上面に前記天井作業床装置の支持体を乗せる支持体設置工程と、前記支持体設置工程の後、前記支持体が乗せられたステップよりも上方のステップの上面に前記天井作業床装置の床体の一側を乗せ、前記床体の他側を前記支持体の上面に乗せる床体設置工程と、前記床体設置工程の後、前記床体の他側を前記支持体の上部に固定する床体固定工程と、前記床体固定工程の後、作業員が前記床体の上面から前記エスカレーターの天井の作業を行う天井作業工程と、を備えた。